(57)【特許請求の範囲】
【請求項１】
遊技球等の遊技媒体により遊技が行われる遊技盤に配設された２以上の遊技盤側装置と、その遊技盤が取着される枠体に配設された２以上の枠体側装置と、その２以上の枠体側装置および２以上の遊技盤側装置と電気的にそれぞれ接続されると共に遊技内容に応じて遊技者に有価媒体などの有価価値を付与するための有価価値付与処理を含む遊技の制御を行う主制御基板とを備えた遊技機において、
その主制御基板と前記２以上の遊技盤側装置との間に介在し、その２以上の遊技盤側装置と前記主制御基板とがまとめて電気的に接続される遊技盤側中継基板と、
その遊技盤側中継基板または主制御基板のいずれか一方と前記２以上の枠体側装置との間に介在し、その２以上の枠体側装置と前記主制御基板または遊技盤側中継基板のいずれか一方とがまとめて電気的に接続される枠体側中継基板と、
前記遊技盤に配設されると共に、前記主制御基板の有価価値付与処理によって遊技者に有価価値を付与する場合に予め定めた当たり表示を行う図柄表示装置と、
その図柄表示装置とは別に前記遊技盤に配設され、前記遊技盤の前面を装飾する複数の装飾装置とを備え、
前記遊技盤側中継基板は、その複数の装飾装置がまとめて電気的に接続された中継基板を有し、
前記主制御基板と前記図柄表示装置との間より前記主制御基板と前記複数の装飾装置との間に前記遊技盤側中継基板が多く介在するようにしたことを特徴とする遊技機。
【請求項２】
前記遊技盤側中継基板は、前記遊技盤側装置が配設された遊技盤に配設されていることを特徴とする請求項１記載の遊技機。
【請求項３】
前記主制御基板は、前記遊技盤側装置が配設された遊技盤に配設されていることを特徴とする請求項２記載の遊技機。
【請求項４】
前記枠体側中継基板は、前記枠体側装置が配設された枠体に配設されていることを特徴とする請求項１から３のいずれかに記載の遊技機。
【発明の詳細な説明】
【０００１】
【発明の属する技術分野】
本発明は、遊技媒体による遊技が行われる遊技機に関し、特に、その遊技機の組立作業や検査試験における作業を簡素化することができる遊技機に関するものである。
【０００２】
【従来の技術】
パチンコ機などの遊技の制御を行う主制御基板には、例えば、複数の普通入賞口へ入賞した入賞球を検出するための複数の普通入賞スイッチや、大入賞口（特定入賞口）に配設されるＶカウントスイッチ及び１０カウントスイッチなどの複数の検出スイッチが接続されている。これらの検出スイッチは、遊技球により遊技が行われる遊技盤に配設されており、かかる遊技盤は外枠に設けられた機構盤に着脱可能に配設されている。
【０００３】
一方、かかる機構盤には、賞球の払い出しを行う賞球払出ユニット、貸し球の払い出しを行う球貸ユニット、及び、これらの各ユニットの制御を行う払出制御基板等が配設されている。この払出制御基板もまた、上述した主制御基板と接続されており、この払出制御基板による制御は、主制御基板から払出制御基板へ送信される制御用データに基づいて行われるのである。また、機構盤には、下受皿に収容される球のオーバーフローを検出するオーバーフロー検出スイッチや、タンクレール内の球不足を検出する空切れ防止スイッチなどの各種検出スイッチが配設されており、これらの各種検出スイッチによる検出信号は払出制御基板へ送信されている。
【０００４】
【発明が解決しようとする課題】
しかしながら、上述したパチンコ機では、遊技盤に配設された複数の検出スイッチや機構盤に配設された払出制御基板をそれぞれ個別に接続線群を介して主制御基板に接続する必要があるため、主制御基板に複数の接続線群を接続する必要がある。このため、例えば、主制御基板をパチンコ機から取り外して検査試験を行う場合、その検査試験の都度、複数の接続線群を主制御基板から取り外し、その検査試験後、再び各接続線群を主制御基板にそれぞれ接続する必要があり、かかる検査試験が煩雑となるという問題点があった。
【０００５】
また、パチンコ機において、各種信号の送信条件が変更された結果、各種スイッチにより検出された検出信号は、主制御基板により管理することが条件とされ、かつ、電子部品を搭載した払出制御基板により中継して主制御基板へ送信することができない場合、即ち、オーバーフロー検出スイッチや空切れ防止スイッチなどの各種検出スイッチについても、それらの検出信号を払出制御基板へ送信して払出制御基板で処理することができず、且つ、これらの機構盤に配設される検出スイッチの検出信号を払出制御基板により中継して主制御基板へ送信することができない場合には、主制御基板に、遊技盤に配設される複数の検出スイッチや払出制御基板の他に、機構盤に配設される複数の検出スイッチをも接続しなければならず、主制御基板に接続される接続線群の数が更に増加してしまうという問題点があった。
【０００６】
本発明は上述した問題点を解決するためになされたものであり、主制御基板に接続される接続線群の数を低減して、遊技機の組立作業や検査試験における作業を簡素化することができる遊技機を提供することを目的としている。
【０００７】
【課題を解決するための手段】
この目的を達成するために請求項１記載の遊技機は、遊技球等の遊技媒体により遊技が行われる遊技盤に配設された２以上の遊技盤側装置と、その遊技盤が取着される枠体に配設された２以上の枠体側装置と、その２以上の枠体側装置および２以上の遊技盤側装置と電気的にそれぞれ接続されると共に遊技内容に応じて遊技者に有価媒体などの有価価値を付与するための有価価値付与処理を含む遊技の制御を行う主制御基板とを備えており、その主制御基板と前記２以上の遊技盤側装置との間に介在し、その２以上の遊技盤側装置と前記主制御基板とがまとめて電気的に接続される遊技盤側中継基板と、その遊技盤側中継基板または主制御基板のいずれか一方と前記２以上の枠体側装置との間に介在し、その２以上の枠体側装置と前記主制御基板または遊技盤側中継基板のいずれか一方とがまとめて電気的に接続される枠体側中継基板と、前記遊技盤に配設されると共に、前記主制御基板の有価価値付与処理によって遊技者に有価価値を付与する場合に予め定めた当たり表示を行う図柄表示装置と、その図柄表示装置とは別に前記遊技盤に配設され、前記遊技盤の前面を装飾する複数の装飾装置とを備え、前記遊技盤側中継基板は、その複数の装飾装置がまとめて電気的に接続された中継基板を有し、前記主制御基板と前記図柄表示装置との間より前記主制御基板と前記複数の装飾装置との間に前記遊技盤側中継基板が多く介在するようにしたものである。
【０００８】
この請求項１記載の遊技機によれば、遊技盤に配設される２以上の遊技盤側装置は、遊技盤側中継基板にまとめて電気的に接続され、この遊技盤側中継基板を介して、主制御基板にまとめて電気的に接続される。一方、枠体に配設される２以上の枠体側装置は、枠体側中継基板にまとめて電気的に接続され、この枠体側中継基板が遊技盤側中継基板または主制御基板に電気的に接続されることによって、主制御基板にまとめて電気的に接続される。よって、主制御基板に２以上の遊技盤側装置および２以上の枠体側装置をそれぞれ個別に接続する必要がなく、遊技盤側中継基板および枠体側中継基板を介して、２以上の遊技盤側装置および２以上の枠体側装置が主制御基板にまとめて電気的に接続されるのである。
また、遊技盤には、主制御基板の有価価値付与処理によって遊技者に有価価値を付与する場合に予め定めた当たり表示を行う図柄表示装置と、その図柄表示装置とは別に遊技盤の前面を装飾する複数の装飾装置とが配設され、主制御基板と図柄表示装置との間より主制御基板と複数の装飾装置との間に、複数の装飾装置がまとめて電気的に接続された中継基板を有する遊技盤側中継基板が多く介在するように接続される。
請求項２記載の遊技機は、請求項１記載の遊技機において、前記遊技盤側中継基板は、前記遊技盤側装置が配設された遊技盤に配設されている。
請求項３記載の遊技機は、請求項２記載の遊技機において、前記主制御基板は、前記遊技盤側装置が配設された遊技盤に配設されている。
請求項４記載の遊技機は、請求項１から３のいずれかに記載の遊技機において、前記枠体側中継基板は、前記枠体側装置が配設された枠体に配設されている。
【０００９】
【発明の実施の形態】
以下、本発明の好ましい実施例について、添付図面を参照して説明する。本実施例では、遊技機の一例としてパチンコ機を用いて説明する。図１は、本発明の遊技機の一実施例であるパチンコ機１の正面図であり、図中の矢印Ａは、遊技球発射装置２０により遊技球（打球）Ｐを発射する際における発射ハンドル２０ａの回動方向を示している。
【００１０】
パチンコ機１は、いわゆる第１種パチンコ遊技機であり、その前面（図１の紙面に対して手前側）に前面枠２が配設されている。この前面枠２の上部には、遊技者に大当たりを報知するために点灯（又は、消灯）可能に構成された大当たりランプ２ａが配設されており、この大当たりランプ２ａの下側であって前面枠２の略中央部分には金枠３が周設されている。この金枠３内の上方にはガラス扉枠４が開閉可能に配設されており、ガラス扉枠４の後方（図１の紙面に対して奥側）には遊技盤５が配置されている。
【００１１】
この遊技盤５の前面には、遊技盤５の前面を装飾したり、遊技状態を遊技者に報知して興趣を向上させるために点灯（又は、点滅）される複数の動作ランプ５ａ〜５ｊが配設されている。遊技盤５の前面外周部分には略円弧状の外レール７が植立され、その外レール７の内側位置には円弧状の内レール６が植立されている。この内レール６および外レール７により囲まれた遊技盤５の前面には、遊技球Ｐが打ち込まれる遊技領域８が形成されており、内レール６および外レール７間には遊技球Ｐが通過可能な案内通路９が設けられている。
【００１２】
案内通路９は、遊技領域８へ打ち込まれる遊技球Ｐを案内するための通路であり、その案内通路９の上側端部（図１上側）には戻球防止装置１０が配設されている。この戻球防止装置１０は、案内通路９から遊技領域８へ飛び出した遊技球Ｐが案内通路９へ侵入して逆流することを防止するものである。
【００１３】
遊技盤５の遊技領域８には、遊技球Ｐが入賞可能な複数（例えば、６個）の普通入賞口１１が設けられ、これらの各普通入賞口１１の近傍であって遊技盤５の裏面側には磁気センサで構成された普通入賞スイッチ１１ａがそれぞれ１個ずつ配設されている。この複数の普通入賞スイッチ１１ａは、各普通入賞口１１へ入賞した遊技球Ｐを検出するための検出器であり、この各普通入賞スイッチ１１ａのいずれかにより遊技球Ｐが検出されることによって、所定個数（例えば、５個から１０個）の賞球が後述する賞球払出ユニット３４により払い出されるのである。
【００１４】
また、遊技領域８（遊技盤５）には、遊技球Ｐが通過可能な計２個の普通図柄作動ゲート１２，１２が設けられ、これらの各普通図柄作動ゲート１２，１２の近傍であって遊技盤５の裏面側には磁気センサで構成された普通図柄作動スイッチ１２ａ，１２ａがそれぞれ配設されている。この普通図柄作動スイッチ１２ａ，１２ａは、普通図柄作動ゲート１２，１２を通過した遊技球Ｐを検出するための検出器であり、この各普通図柄作動スイッチ１２ａ，１２ａのいずれかにより遊技球Ｐが検出されることによって、後述する可変表示装置１３における普通図柄表示ＬＥＤ１３ｂの変動表示が開始される。
【００１５】
可変表示装置１３は、遊技盤５の前面の略中央部分に配設されている。この可変表示装置１３は、複数種類の識別情報としての図柄（画像）などを表示するためのものであり、その略中央部分に各種の図柄を変動表示することが可能な液晶ディスプレイ（liquid crystal display、以下、単にＬＣＤと称す）（特別図柄表示装置）１３ａが配設されている。このＬＣＤ１３ａは、液晶および偏光板等を組み合わせることにより構成された表示画面である液晶パネル１３ａ１を備えており、この液晶パネル１３ａ１に各種画像が表示される。
【００１６】
ＬＣＤ１３ａの上方であって可変表示装置１３の上部には普通図柄表示ＬＥＤ（普通図柄表示装置）１３ｂが配設されている。この普通図柄表示ＬＥＤ１３ｂは、１個の７セグメントＬＥＤで構成されており、「０」〜「９」の１０種類の図柄を表示可能に構成されている。この普通図柄表示ＬＥＤ１３ｂは、上述した複数の普通図柄作動スイッチ１２ａ，１２ａのいずれかにより遊技球Ｐが検出された場合に各種の図柄（例えば、「１」、「３」、「５」、「７」）の変動表示を開始するものである。
【００１７】
普通図柄表示ＬＥＤ１３ｂの四隅近傍には普通図柄記憶表示ＬＥＤ１３ｃが１個ずつ（計４個）配設され、可変表示装置１３の上部における普通図柄記憶表示ＬＥＤ１３ｃの左側部分および右側部分には特別図柄記憶表示ＬＥＤ１３ｄが２個ずつ（計４個）配設されている。普通図柄記憶表示ＬＥＤ１３ｃは、発光ダイオードで構成されており、その点灯数によって、上述した普通図柄作動スイッチ１２ａ，１２ａにより検出された遊技球数（保留球数）を遊技者に報知するものである。一方、特別図柄記憶表示ＬＥＤ１３ｄは、普通図柄記憶表示ＬＥＤ１３ｃと同様に発光ダイオードで構成されており、その点灯数によって、可変表示装置１３の下方に配設される第１種始動口１４に入賞した遊技球数（保留球数）を遊技者に報知するものである。
【００１８】
また、可変表示装置１３の上部には飾りＬＥＤ１３ｅ，１３ｆがそれぞれ配設され、また、可変表示装置１３の左右両側部には、飾りＬＥＤ１３ｇ，１３ｈがそれぞれ配設されている。これらの飾りＬＥＤ１３ｅ〜１３ｈは、上述した複数の動作ランプ５ａ〜５ｊと同様に、遊技盤５の前面を装飾したり、遊技状態を遊技者に報知して興趣を向上させるために点灯（又は、点滅）されるものである。
【００１９】
可変表示装置１３の下方には第１種始動口１４が設けられている。この第１種始動口１４は、普通電動役物に係る入賞口であり、遊技球Ｐが入賞することによりＬＣＤ１３ａの変動表示を開始するものである。この第１種始動口１４の近傍であって遊技盤５の裏面側には磁気センサで構成された第１種始動口スイッチ１４ａが配設されており、この第１種始動口スイッチ１４ａにより第１始動口１４に入賞した遊技球Ｐを検出することができる。
【００２０】
また、第１種始動口１４は、その左右両側に配設される羽根１４ｂ，１４ｃを閉じた縮小状態、及び、それらを開いた拡大状態（図１参照）の２つの態様を備えている。この２つの態様を備えた第１種始動口１４によれば、上述した普通図柄表示ＬＥＤ１３ｂの変動後の表示結果が予め定められた図柄（例えば「７」）と一致した場合に、遊技球Ｐが入賞しやすいように所定時間（例えば、３秒間）経過するまで、又は、所定個数（例えば、１０個）の遊技球Ｐが入賞するまで、羽根１４ｂ，１４ｃが後述する第１種始動口ソレノイド１４ｄ（図４参照）により開かれて、拡大状態とされるのである。
【００２１】
第１種始動口１４の下方には可変入賞装置１５が設けられている。この可変入賞装置１５は、２以上の遊技球Ｐが同時に入賞可能な幅広の矩形状の開口１５ａと、その開口１５ａに形状に適合して形成され開口１５ａを開閉する開閉シャッタ１５ｂとを備えており、これらの開口１５ａ及び開閉シャッタ１５ｂにより大入賞口が構成されている。この開閉シャッタ１５ｂは、その開閉動作が後述する開閉ソレノイド１５ｅ（図４参照）により行われる。
【００２２】
この可変入賞装置１５によれば、ＬＣＤ１３ａの変動後の表示結果が予め定められた図柄の組み合わせ（大当たり表示）の１つと一致する場合に、遊技球Ｐが入賞しやすいように所定時間（例えば、３０秒間）経過するまで、又は、所定個数（例えば、１０個）の遊技球Ｐが大入賞口の開口１５ａへ入賞するまで、開閉ソレノイド１５ｅにより開閉シャッタ１５ｂが開かれ、大入賞口の開口１５ａが開放されるものである。この開口１５ａの開閉動作の行われ得る状態が、いわゆる所定の遊技価値の付与された状態（特別遊技状態）である。
【００２３】
この可変入賞装置１５の内部右側には、大入賞口へ入賞した遊技球Ｐを継続権を成立させる特定入賞球として処理する特定領域（Ｖゾーン）が設けられ、この特定領域を通過した遊技球Ｐを検出するＶカウントスイッチ１５ｃが配設されている。一方、可変入賞装置１５の内部左側には、大入賞口へ入賞した遊技球Ｐを普通の入賞球として処理する通常領域が設けられ、この通常領域へ入賞した遊技球Ｐを検出する１０カウントスイッチ１５ｄが配設されている。また、可変入賞装置１５内部には、大入賞口へ入賞した遊技球Ｐを特定領域または通常領域へ振り分けるための振り分け板（図示せず）が配設されている。この振り分け板は、その傾斜方向が振り分けソレノイド１５ｆ（図４参照）により切り替えられることによって、大入賞口へ入賞した遊技球Ｐを特定領域または通常領域へ振り分けるものである。
【００２４】
可変入賞装置１５の下方には、複数の普通入賞口１１、第１種始動口１４又は大入賞口のいずれにも入賞しなかった遊技球Ｐを遊技領域８外へ排出するためのアウト口１６が形成されている。このアウト口１６の形成された遊技領域８の前方に配設されるガラス扉枠４の下方には、金枠３に開閉可能に取着された前面扉板（腰板）１７が配設されている。この前面扉板１７の前面には遊技球Ｐを貯留し、かつ、後述する遊技球発射装置２０へ遊技球Ｐを供給する上受皿１８が配設されている。また、この上受皿１８の下方であって前面枠２の下側部分には、上受皿１８に貯留しきれなかった遊技球Ｐを貯留するための下受皿１９が配設されている。
【００２５】
前面枠２には、下受皿１９の右側部分に遊技球発射装置２０が配設されており、この遊技球発射装置２０は、遊技球Ｐを遊技領域８へ打ち込むために遊技者により操作される発射ハンドル２０ａを備えている。発射ハンドル２０ａは、その外周に略三角形状の突起である発射レバー２０ｂが突設されており、この発射レバー２０ｂに遊技者の指先等が接触することによって、遊技球発射装置２０による遊技球Ｐの発射を連続して行うことができるように構成されている。
【００２６】
発射ハンドル２０ａの内部には発射スイッチ２０ｃが内蔵されている。発射スイッチ２０ｃは、例えば、マイクロスイッチで構成されており、遊技球Ｐを発射するための動力を供給する発射モータ２０ｄ（後述する）の駆動を開始（始動）するためのスイッチである。この発射スイッチ２０ｃは、発射ハンドル２０ａが矢印Ａ方向へ回転された場合にオフされる一方、発射ハンドル２０ａが反矢印Ａ方向へ回転された場合にオンされるように構成されており、遊技球発射装置２０は、発射ハンドル２０ａが矢印Ａ方向へ回転されて発射スイッチ２０ｃがオフされた場合に発射モータ２０ｄの駆動が開始され、発射ハンドル２０ａが反矢印Ａ方向へ回転されて発射スイッチ２０ｃがオンされた場合に発射モータ２０ｄの駆動を停止するように構成されている。
【００２７】
また、前面扉板１７には、上受皿１８の左側部分にスピーカ２１が内臓されている。スピーカ２１は、上述したＬＣＤ１３ａに表示される図柄に対応して音声を発生するものであり、後述する音声制御基板２６（図２参照）に搭載されるマイクロプロセッサ（図示せず）から送信される制御用データを受けて、ＬＣＤ１３ａに表示される図柄に応じた音声を発生することができる。
【００２８】
パチンコ機１の前面枠２の左側には、正面視長方形状のカードユニット２２が配設されている。カードユニット２２は金銭と同等の有価価値を有するプリペイドカード（以下、単に「カード」と称す）等の有価価値媒体に記録された残高金額のデータを読み取るための装置である。このカードユニット２２により読みとられたカードの残高金額データは、前面扉板１７に配設された球貸操作ユニット２３の残高表示器２３ａに表示され、遊技者に報知される。
【００２９】
球貸操作ユニット２３は、前面扉板１７の上部中央にであって、上受皿１８より上側に配設されている。球貸操作ユニット２３は、球貸を行う際に遊技者により操作されるものであり、カードユニット２２により読み取られたカードの残高金額を報知する残高表示器２３ａと、カードユニット２２からカードを取り出すために操作される返却ボタン２３ｂと、球貸を開始するために操作される球貸ボタン２３ｃが配設されている。
【００３０】
次に、図２を参照して、まず、パチンコ機１に配設される各部材（各種基板や各種装置（ユニット）を含む）について説明する。尚、パチンコ機１に配設される各部材の電気的な接続状態についての詳細は後述する。
【００３１】
図２は、パチンコ機１の裏面図である。パチンコ機１の前面枠２の裏面側左下部分には、上述した発射ハンドル２０ａを備えた遊技球発射装置２０が配設されている。この遊技球発射装置２０は、ハンドル２０ａ（図１参照）を回動させることにより駆動される発射モータ２０ｄと、その発射モータ２０ｄの駆動により遊技球Ｐを打撃する打球杆２０ｅとを備えている。
【００３２】
発射モータ２０ｄは、パルスモータ等で構成されており、後述する発射制御基板３９によって、遊技者が発射レバー２０ｂに触れ、かつ、上述した発射ハンドル２０ａが矢印Ａ方向へ回転され発射スイッチ２０ｃがオフされた場合に、その駆動が開始されるように制御されている。遊技球発射装置２０によれば、その発射モータ２０ｄの駆動が開始されると、その駆動力が打球杆２０ｅに伝達され、この打球杆２０ｅにより遊技球Ｐが打撃され、遊技球Ｐが案内通路９を通過して遊技領域８へ打ち込まれるのである。
【００３３】
また、遊技球発射装置２０には、発射モータ２０ｄの右側部分に発射用中継基２０ｆが配設され、この発射用中継基板２０ｆは、上述した発射レバー２０ｂ、発射スイッチ２０ｃ及び発射モータ２０ｄがそれぞれ電気的に接続されている。この発射用中継基板２０ｆは、遊技球発射装置２０の各装置２０ｂ〜２０ｄと後述する発射制御基板３９との間に介在し、その発射制御基板３９と遊技球発射装置２０とを電気的に接続して各種信号を中継するための回路基板である。
【００３４】
次に、上述した遊技盤５の裏面側に配設される主制御基板２４、盤側メイン中継基板２９およびその他の各種装置（図４に示す遊技盤側装置群Ｂ）について説明する。パチンコ機１の上部に配設される遊技盤５の裏面側には主制御基板２４を収容した主制御基板ボックス２５が着脱可能に配設されている。主制御基板２４は、パチンコ機１の遊技の制御を行う回路基板であり、パチンコ機１に配設される各種装置（図４に示す遊技盤側装置群Ｂ及び枠側装置群Ｗ）の制御を行う演算装置であるマイクロプロセッサ（以下、「ＭＰＵ」と称す。）（図示せず）などの電子部品（制御部品）が搭載されている。一方、主制御基板２４の右側であって遊技盤５の裏面側略中央には、上述した可変表示装置１３が配設されており、この可変表示装置１３の下方には、音声制御基板２６及びランプ制御基板２７を収容したサブ制御基板ボックス２８が配設されている。
【００３５】
サブ制御基板ボックス２８の右側部分には、音声制御基板２６が収容されている。音声制御基板２６は、上述したスピーカ２１から発生される音声を生成する回路基板であり、そのスピーカ２１を制御するための演算装置であるＭＰＵ（図示せず）や音声データが記憶されたソフトウェアサウンドジェネレータ（softwear saund generator、以下ＳＳＧと称す）（図示せず）などの電子部品が搭載されている。
【００３６】
この音声制御基板２６によれば、そのＭＰＵによって主制御基板２４から送信された制御用データが受信され、この受信を受けて、音声制御基板２６のＭＰＵから音声を発生させるための音指令信号がＳＳＧへ送信される。この音指令信号に対応する音声データはＳＳＧによって電気信号にＤ／Ａ変換（デジタル−アナログ変換）されて、後述する音量調整基板４４を介してスピーカ２１へ送信され、スピーカ２１から音声が発生されるのである。
【００３７】
一方、サブ制御基板ボックス２８の左側部分にはランプ制御基板２７が収容されている。ランプ制御基板２７は、上述した大当たりランプ２ａ、複数の動作ランプ５ａ〜５ｊ、普通図柄記憶表示ＬＥＤ１３ｃ、特別図柄記憶表示ＬＥＤ１３ｄ、及び、飾りＬＥＤ１３ｅ〜１３ｈを制御する回路基板であり、大当たりランプ２ａ等を制御するための演算装置であるＭＰＵ（図示せず）などの電子部品が搭載されている。このランプ制御基板２７によれば、主制御基板２４から送信される制御用データに基づいて、ランプ制御基板２７のＭＰＵが大当たりランプ２ａ等へ制御用信号を送信して大当たりランプ２ａ等を点灯または消灯させるのである。
【００３８】
また、サブ制御基板ボックス２８の下側部分からは、上述した可変入賞装置１５に配設される可変入賞装置用中継基板１５ｇが露出され、この可変入賞装置用中継基板１５ｇには、上述したＶカウントスイッチ１５ｃ、１０カウントスイッチ１５ｄ、後述する開閉ソレノイド１５ｅ（図４参照）、及び、振り分けソレノイド１５ｆ（図４参照）がそれぞれ電気的に接続されている。この可変入賞装置用中継基板１５ｇは、可変入賞装置１５の各装置１５ｃ〜１５ｆと盤側メイン中継基板２９との間に介在し、その盤側メイン中継基板２９と各装置１５ｃ〜１５ｆとを電気的に接続して各種信号を中継するための回路基板である。
【００３９】
サブ制御基板ボックス２８の上方であって可変表示装置１３の裏面側における下側部分には盤側メイン中継基板２９が配設されている。この盤側メイン中継基板２９は、主制御基板２４と遊技盤５に設けられる各種装置（具体的には、複数の普通入賞スイッチ１１ａの一部（本実施例では２つ）、可変表示装置１３、可変入賞装置１５、音声制御基板２６及びランプ制御基板２７、並びに、後述する盤側サブ中継基板４６（図３参照））との間に介在し、これらの各種装置と主制御基板２４とを電気的に接続して各種信号を中継するための回路基板である。
【００４０】
盤側メイン中継基板２９の上方であって可変表示装置１３の裏面側における上側部分には、ランプ用メイン中継基板３０が配設されている。このランプ用メイン中継基板３０は、ランプ制御基板２７と遊技盤５に配設される可変表示装置１３の普通図柄記憶表示ＬＥＤ１３ｃ、特別図柄記憶表示ＬＥＤ１３ｄ、及び、飾りＬＥＤ１３ｅ〜１３ｈ、並びに、後述するランプ用サブ中継基板４７（図３参照）との間に介在し、これらの各ＬＥＤ１３ｃ〜１３ｈ及びランプ用サブ中継基板４７とランプ制御基板２７とを電気的に接続して各種信号を中継するための回路基板である。
【００４１】
また、遊技盤５の上部には、遊技盤用外部端子板３１が配設されている。この遊技盤用外部端子板３１は、パチンコホールのシステム管理装置の一つである台管理装置１２０（図４参照）と接続され、主制御基板２４から送信される種々の情報（例えば、大当たりの発生中を示す信号、大当たりの確率変動中を示す信号、可変表示装置１３に表示される図柄の変動停止を示す信号）を台管理装置１２０へ送信するためのものである。
【００４２】
次に、前面枠２、前面扉板１７、外枠３２及び機構盤３３に配設される各種装置（図４に示す枠側装置群Ｗ）について説明する。上述した遊技盤５は、パチンコ機１の外周に周設される外枠３２の内側部分に配設された機構盤３３に着脱可能に取着されている。尚、以下、パチンコ機１における前面枠２、前面扉板１７、外枠３２及び機構盤３３を総称して枠類５０と称す。
【００４３】
外枠３２は略額縁状に形成され、その右側縁部には上述したカードユニット２２が配設されている。このカードユニット２２は、交流電力（例えば、１００Ｖ）を供給する電源１３０（図４参照）と接続可能に構成された接続コンセント２２ａを備え、この接続コンセント２２ａを介して電源１３０から電力供給を受けるように構成されている。
【００４４】
機構盤３３の略中央部分には略矩形状の開口である中央開口部３３ａが穿設されており、かかる中央開口部３３ａを介して、遊技盤５の裏面側に配設された可変表示装置１３、主制御基板ボックス２５、サブ制御基板ボックス２８および可変入賞装置１５の可変入賞装置用中継基板１５ｇが機構盤３３の後方（図２の手前側）へ突出した状態で露出されている。
【００４５】
また、機構盤３３の上部右側には略矩形状の開口である上部開口部３３ｂが穿設されており、かかる上部開口部３３ｂを介して、遊技盤５の裏面側に配設された遊技盤用外部端子板３１が機構盤３３の後方（図２の手前側）へ突出した状態で露出されている。更に、機構盤３３には、貯留タンク３３ｃと、球切れスイッチ３３ｄと、タンクレール３３ｅと、空切れ防止スイッチ３３ｆと、排出樋３３ｇと、オーバーフロー検出スイッチ３３ｈとが配設されている。
【００４６】
機構盤３３の上部開口３３ｂの左側方には、遊技球Ｐを貯留するための貯留タンク３３ｃが配設されており、この貯留タンク３３ｃの下部には貯留タンク３３ｃ内に貯留される球の不足を検出する球切れスイッチ３３ｄが配設されている。球切れスイッチ３３ｄの下方には、貯留タンク３３ｃへ供給された球を賞球払出ユニット３４及び球貸ユニット３５へ一列状に整列させた状態で流下させ案内するタンクレール３３ｅが配設されており、このタンクレール３３ｅ内部であって賞球払出ユニット３４及び球貸ユニット３５より上方位置にはタンクレール３３ｅ内部に整列される球の不足を検出する空切れ防止スイッチ３３ｆが配設されている。
【００４７】
賞球払出ユニット３４及び球貸ユニット３５は、機構盤３３の右側部分に配設されている。これらの各ユニット３４，３５の上部にはタンクレール３３ｅが連通されており、このタンクレール３３ｅを介して貯留タンク３３ｃに供給された球は各ユニット３４，３５へ供給されるのである。賞球払出ユニット３５は、上述した複数の普通入賞スイッチ１１ａ、普通図柄作動スイッチ１２ａ，１２ａ、第１種始動口スイッチ１４ａ、Ｖカウントスイッチ１５ｃ、１０カウントスイッチ１５ｄによる遊技球Ｐの検出に基づいて、所定個数の賞球を遊技者へ払い出すための装置である。また、球貸ユニット３５は、上述したカードユニット２２により読み取られたカードの残高金額データと球貸操作ユニット２３の操作とに基づいて、遊技者へ所定個数の貸し球を払い出すための装置である。
【００４８】
尚、賞球払出ユニット３４及び球貸ユニット３５は、機構盤３３の裏面側（図２の手前側）から表面側（図２の奥側）へ向けて並設されている。即ち、図２の紙面に対して手前側に賞球払出ユニット３４が配設され、その賞球払出ユニット３４の奥側（図２の）に球貸ユニット３５が配設されており、図２では、賞球払出ユニット３４のみを図示している。
【００４９】
賞球払出ユニット３４及び球貸ユニット３５の下方には、かかる各ユニット３４，３５により払い出された賞球や貸し球を上受皿１８（この上受皿１８が満杯の場合には下受皿１９）へ案内する排出樋３３ｇが配設されている。よって、賞球払出ユニット３４及び球貸ユニット３５により払い出された賞球や貸し球は、排出樋３３ｇにより上受皿１８（この上受皿１８が満杯の場合には下受皿１９）へ払い出されるのである。また、排出樋３３ｇと下受皿１９との連結部分近傍には、その下受皿１９に貯留される賞球や貸し球のオーバーフローを検出するオーバーフロー検出スイッチ３３ｈが配設されている。
【００５０】
機構盤３３には、上述した上部開口部３３ｂ及び貯留タンク３３ｃの右側部分に電源基板３６及び枠用外部端子板３７を収容した電源基板ボックス３８が配設されている。この電源基板ボックス３８の下側部分には電源基板３６が収容されている。電源基板３６は、主制御基板２４や払出制御基板４１等へ電力を供給するための回路基板であり、交流電力（例えば、１００Ｖ）を供給する電源１３０と接続可能に構成された接続コンセント３６ａを備え、この接続コンセント３６ａを介して電源１３０から供給される交流電力を直流電力（例えば、２４Ｖ）に変圧する電源回路（図示せず）が搭載されている。
【００５１】
枠用外部端子板３７は、電源基板ボックス３８内の電源基板３６より上側部分に配設されている。この枠用外部端子板３７は、パチンコホールのシステム管理装置の一つである台管理装置１２０（図４参照）と接続され、その台管理装置１２０へ遊技に関する種々の情報を送信するためのものであり、複数本のリード線等の接続線が一束状にまとめられた接続線群３７ａにより球切れスイッチ３３ｄと電気的に接続されている。よって、球切れスイッチ３３ｄは、その検出信号、即ち、貯留タンク３３ｃ内に貯留される球の不足を示す球切れ信号を枠用外部端子板３７を介して、台管理装置１２０へ送信することができるのである。
【００５２】
機構盤３３の裏面側には、上述した遊技球発射装置２０の右側上方に遊技球発射装置２０の制御を行う発射制御基板３９を収容した発射制御基板ボックス４０が配設されている。発射制御基板３９は、払出制御基板４１（後述する）から送信される遊技球Ｐの発射を許可を示す発射許可信号と、上述した遊技者の指先等と発射レバー２０ｂとの接触または非接触状態を示すタッチ信号と、発射スイッチ２０ｃのオンまたはオフ状態を示す発射スイッチ信号とを受信し、これらの信号の受信を受けて、発射モータ２０ｄを駆動させるためのドライブ電圧を生成し、このドライブ電圧を発射モータ２０ｄへ送信するための回路基板である。尚、発射制御基板３９には、その発射制御基板３９が受信した各種信号を処理するための演算装置であるＭＰＵ（図示せず）などの電子部品が搭載されている。
【００５３】
また、機構盤３３には、発射制御基板３９の左側部分に払出制御基板４１を収容した払出制御基板ボックス４２が配設されている。払出制御基板４１は、枠類５０に配設される各種装置、具体的には、前面枠２に配設される球貸操作ユニット２３、外枠３２に配設されるカードユニット２２、並びに、機構盤３３に配設される賞球払出ユニット３４、球貸ユニット３５及び発射制御基板３９の制御を行う回路基板であり、枠類５０に配設される各種装置の制御を行う演算装置であるＭＰＵ（図示せず）などの電子部品が搭載されている。
【００５４】
更に、機構盤３３には、発射制御基板３９の下側部分に枠側メイン中継基板４３が配設されている。この枠側メイン中継基板４３は、上述した盤側メイン中継基板２９と枠類５０に配設される各種装置（具体的には、空切れ防止スイッチ３３ｆ、オバーフロー検出スイッチ３３ｈ、賞球払出ユニット３４の後述する払出カウントスイッチ３４ａ（図４参照）、電源基板３６及び払出制御基板４１）との間に介在し、かかる枠類５０に配設される各種装置と盤側メイン中継基板２９とを電気的に接続して各種信号の中継するための回路基板である。
【００５５】
一方、前面枠２の裏面側には音量調整基板４４が配設されている。この音量調整基板４４は、音声制御基板２６からの電気信号を受けて、スピーカ２１から発生される音声の音量を調整する回路基板であり、スピーカ２１と電気的に接続されている。また、機構盤３３には、音量調整基板４４に隣接して球貸操作用中継基板４５が配設されいてる。この球貸操作用中継基板４５は、上述した球貸操作ユニット２３と電気的に接続されており、この球貸操作ユニット２３と払出制御基板４１との間に介在し、その払出制御基板４１と球貸操作ユニット２３とを電気的に接続して各種信号を中継するための回路基板である。
【００５６】
次に、図３を参照して、盤側サブ中継基板４６とランプ用サブ中継基板４７とについて説明する。図３は、パチンコ機１に配設される遊技盤５の裏面図である。図３に示すように、遊技盤５の上部には盤側サブ中継基板４６と、その盤側サブ中継基板４６に並設されるランプ用サブ中継基板４７とが配設されている。尚、図３では、接続線群３６ｂ，５６〜５９，９１〜９８，１０３〜１１１の一部を省略して図示している。
【００５７】
盤側サブ中継基板４６は、上記の盤側メイン中継基板２９と遊技盤５に配設される各種装置（具体的には、盤側メイン中継基板２９と接続された２つの普通入賞スイッチ１１ａを除く４つの普通入賞スイッチ１１ａ、普通図柄作動ゲート１２ａ，１２ａ、第１種始動口スイッチ１４ａ、第１種始動口ソレノイド１４ｄ及び遊技盤用外部端子板３１）との間に介在し、これらの遊技盤５に配設される各種装置と盤側メイン中継基板２９とを電気的に接続して各種信号を中継するための回路基板である。
【００５８】
また、ランプ用サブ中継基板４７は、遊技盤５の裏面側における盤側サブ中継基板４６の上方に配設されている。このランプ用サブ中継基板４７は、上記のランプ用メイン中継基板３０と大当たりランプ２ａ及び複数の動作ランプ５ａ〜５ｊとの間に介在し、これらの各ランプ２ａ，５ａ〜５ｊとランプ用メイン中継基板３０とを電気的に接続して各種信号を中継するための回路基板である。
【００５９】
次に、図２から図４を参照して、上述したパチンコ機１に配設される各部材の電気的な接続状態について説明する。まず、図２に示すように、主制御基板２４は、接続線群３６ｂにより電源基板３６と電気的に接続されており、この接続線群３６ｂによって、電源基板３６は主制御基板２４へ駆動用の直流電力を供給することができる。一方、かかる主制御基板２４は、接続線群５１により盤側メイン中継基板２９と接続されている。尚、接続線群とは、複数本のリード線などの接続線を一束状にまとめたものであり、かかる接続線群の両端部分には、各部材に配設されたコネクタ等の接続部材と着脱可能に構成されたコネクタ等の接続部材がそれぞれ配設されている。
【００６０】
まず、図２に示すように、盤側メイン中継基板２９は、２つの接続線群５２，５３により２つの普通入賞スイッチ１１ａ、１１ａとそれぞれ電気的に接続されている。よって、２つの普通入賞スイッチ１１ａ，１１ａは、盤側メイン中継基板２９を経由して、主制御基板２４へ遊技球Ｐの検出信号をそれぞれ送信することができる。また、盤側メイン中継基板２９は、接続線群５４により盤側サブ中継基板４６（図３参照）と、接続線群５５により可変表示装置１３と、接続線群５６により可変入賞装置用中継基板１５ｇと、接続線群５７により音声制御基板２６と、接続線群５８によりランプ制御基板２７と、接続線群５９により枠側メイン中継基板４３と、それぞれ電気的に接続されている。尚、盤側メイン中継基板２９と可変表示装置１３及び可変入賞装置用中継基板１５ｇとの電気的な接続状態の詳細については、図４を参照して後述する。
【００６１】
図３に示すように、盤側サブ中継基板４６は、上記のように接続線群５４により盤側メイン中継基板２９と電気的に接続される他、接続線群９１〜９４により残りの４つの普通入賞スイッチ１１ａと、接続線群９５，９６により普通図柄作動スイッチ１２ａ，１２ａと、接続線群９７により第１種始動口スイッチ１４ａと、それぞれ電気的に接続されている。よって、４つの普通入賞スイッチ１１ａ、普通図柄作動スイッチ１２ａ，１２ａ及び第１種始動口スイッチ１４ａは、盤側サブ中継基板４６及び盤側メイン中継基板２９を経由して、主制御基板２４へ遊技球Ｐの検出信号をそれぞれ送信することができる。
【００６２】
また、図４は、パチンコ機１の電気的構成を示すブロック図であるが、この図４に示すように、盤側サブ中継基板４６は、接続線群９８により第１種始動口ソレノイド１４ｄと電気的に接続されている。よって、第１種始動口ソレノイド１４ｄは、主制御基板２４から盤側メイン中継基板２９及び盤側サブ中継基板４６を経由して送信された第１種始動口ソレノイド１４ｄを駆動させる制御用信号を受けて、羽根１４ｂ、１４ｃを開閉させることができるのである。
【００６３】
更に、盤側サブ中継基板４６は、図３に示すように、接続線群９９により遊技盤用外部端子板３１と電気的に接続されている。よって、主制御基板２４は、盤側メイン中継基板２９及び盤側サブ中継基板４６を経由して、例えば、大当たりの発生中を示す信号、大当たりの確率変動中を示す信号、可変表示装置１３に表示される図柄の変動停止を示す信号等を、遊技盤用外部端子板３１へ送信し、この遊技盤用外部端子板３１により台管理装置１２０へ送信することができるのである。
【００６４】
図２に示すように、音声制御基板２６は、上記の接続線群５７により盤側メイン中継基板２９と電気的に接続される他、接続線群２６ａにより音量調整基板４４と電気的に接続されている。しかも、この音量調整基板４４は、スピーカ２１と電気的に接続されている。よって、音声制御基板２６は、上述したように、主制御基板２４から送信される制御用データを受けて、音量調整基板４４により音量を調整しつつスピーカ２１から音声を発生させることができるのである。
【００６５】
ランプ制御基板２７は、上記の接続線群５８により盤側メイン中継基板２９と電気的に接続される他、接続線群６１によりランプ用メイン中継基板３０と電気的に接続されている。しかも、このランプ用メイン中継基板３０は、接続線群６２により普通図柄記憶表示ＬＥＤ１３ｃと、接続線群６３により特別図柄記憶表示ＬＥＤ１３ｄと、接続線群６４により飾りＬＥＤ１３ｅと、接続線群６５により飾りＬＥＤ１３ｆと、接続線群６６により飾りＬＥＤ１３ｇと、接続線群６７により飾りＬＥＤ１３ｈと、それぞれ電気的に接続されている。よって、ランプ制御基板２７は、ランプ用メイン中継基板３０を経由して、各ＬＥＤ１３ｃ〜１３ｈを点灯（又は、消灯）させる制御用信号を各ＬＥＤ１３ｃ〜１３ｈへ送信することができるのである。
【００６６】
また、ランプ用メイン中継基板３０には、上記の接続線群６１〜６７の他に、接続線群６８の一端側が電気的に接続され、この接続線群６８の他端側は、図３に示すように、上述したランプ用サブ中継基板４７と電気的に接続されている。しかも、このランプ用サブ中継基板４７は、接続線１０１〜１１０により各動作ランプ５ａ〜５ｊと、接続線群１１１により大当たりランプ２ａと、それぞれ電気的に接続されている。よって、ランプ制御基板２７は、ランプ用メイン中継基板３０及びランプ用サブ中継基板４７を経由して、大当たりランプ２ａ及び各動作ランプ５ａ〜５ｊを点灯（又は、消灯）させる制御用信号を各ランプ２ａ，５ａ〜５ｊへそれぞれ送信することができるのである。
【００６７】
ところで、上述したように、盤側メイン中継基板２９は、接続線群５９により枠側メイン中継基板４３と電気的に接続されている。しかも、この枠側メイン中継基板４３は、接続線群５９により盤側メイン中継基板２９と電気的に接続される他、接続線群７１により空切れ防止スイッチ３３ｆと、接続線群７２によりオーバーフロー検出スイッチ３３ｈと、それぞれ接続されている。よって、パチンコ機１は、空切れ防止スイッチ３３ｆにより検出されたタンクレール３３ｅの球不足を示す空切れ信号と、オーバーフロー検出スイッチ３３ｈにより検出された下受皿１９のオーバーフローを示すオーバーフロー信号とを、枠側メイン中継基板４３及び盤側メイン中継基板２９を経由して、主制御基板２４へそれぞれ送信することができるのである。従って、これらの空切れ防止スイッチ３３ｆが接続された接続線群７１と、オーバーフロー検出スイッチ３３ｈが接続された接続線群７２をそれぞれ個別に主制御基板２４に接続する必要がないのである。
【００６８】
また、枠側メイン中継基板４３は、接続線群３４ｄにより賞球払出ユニット３４に配設される払出カウントスイッチ３４ａ（図４参照）と、接続線群７３により払出制御基板４１と、接続線群７４により電源基板３６と、それぞれ電気的に接続されている。尚、盤側メイン中継基板２９と賞球払出ユニット３４の払出カウントスイッチ３４ａとの電気的な接続状態の詳細については、図４を参照して後述する。
【００６９】
ここで、払出制御基板４１は、上記の接続線群７３により枠側メイン中継基板４３と電気的に接続される一方、この枠側メイン中継基板４３及び接続線群７４を介して電源基板３６と電気的に接続されている。よって、払出制御基板４１は、枠側メイン中継基板４３及び盤側メイン中継基板２９を経由して主制御基板２４からの制御用データを受信することができる一方、枠側メイン中継基板４３及び接続線群７４を介して電源基板３６から駆動用の直流電力の供給を受けることができるのである。
【００７０】
一方、払出制御基板４１は、接続線群８１より賞球払出ユニット３４に配設される賞球払出用中継基板３４ｃと、接続線群８２により球貸ユニット３５に配設される球貸用中継基板３５ｃと、それぞれ電気的に接続されている。尚、賞球払出ユニット３４の賞球払出用中継基板３４ｃ及び球貸ユニット３５の球貸用中継基板３５ｃと払出制御基板４１との電気的な接続状態の詳細については、図４を参照して後述する。
【００７１】
また、払出制御基板４１は、接続線群８３により枠用外部端子板３７と電気的に接続されており、枠用外部端子板３７を介して、遊技に関する種々の情報をパチンコホールのシステム管理装置の一つである台管理装置１２０へ送信することができる。更に、払出制御基板４１は、接続線群８４により発射制御基板３９と、それぞれ電気的に接続されており、払出制御基板４１から送信される遊技球Ｐの発射を許可を示す発射許可信号を受信することができる。
【００７２】
この発射制御基板３９は、更に、接続線群３９ａにより遊技球発射装置２０に配設される発射用中継基板２０ｆと電気的に接続されており、この発射用中継基板２０ｆには、上述した発射レバー２０ｂ、発射スイッチ２０ｃ及び発射モータ２０ｄがそれぞれ電気的に接続されている。よって、発射制御基板３９は、発射用中継基板２０ｆを介して発射スイッチ２０ｃのオンまたはオフ状態を示す発射スイッチ信号や、遊技者の指先等と発射レバー２０ｂとの接触または非接触状態を示すタッチ信号を受信することができる一方、これらの各種信号の受信を受けて、発射モータ２０ｄを駆動させるドライブ電圧を発射モータ２０ｄへ送信することができるのである。
【００７３】
また、払出制御基板４１は、接続線群８５により球貸操作用中継基板４５と電気的に接続されており、この球貸操作用中継基板４５には球貸操作ユニット２３が電気的に接続されている（図４参照）。よって、払出制御基板４１は、球貸操作用中継基板４５を経由して、カードユニット２２により読み取られた残高金額データに基づいて残高表示器２３ａに残高金額を表示させる制御用信号を残高表示器２３ａへ送信することができる一方、返却ボタン２３ｂ及び球貸ボタン２３ｃが押下又は非押下状態であるかを示す押下信号を受信することができるのである。更に、払出制御基板４１は、接続線群８６によりカードユニット２２と電気的に接続されており、カードユニット２２により読みとられたカードの残高金額データを受信することができ、かつ、カードユニット２２へ他の種々のデータを送信することができる。
【００７４】
図４は、パチンコ機１の電気的構成を示したブロック図である。図４に示すように、パチンコ機１の主制御基板２４は、ＭＰＵ等の演算装置で構成された中央処理装置であるＣＰＵ２４ａと、そのＣＰＵ２４ａにより実行される各種の制御プログラムやデータ等を記憶したＲＯＭ２４ｂと、ワークメモリ等として使用されるＲＡＭ２４ｃとを備えている。これらのＣＰＵ２４ａ，ＲＯＭ２４ｂ，ＲＡＭ２４ｃは、バスライン２４ｄを介して相互に接続されている。バスライン２４ｄは、また、入出力ポート２４ｅにも接続されており、この入出力ポート２４ｅには、上記の接続線群３６ｂにより電源基板３６が接続される他には、接続線群５１によって盤側メイン中継基板２９のみが接続されている。
【００７５】
この盤側メイン中継基板２９には、上述した接続線５２〜５８を介して、遊技盤５に配設される各種装置である遊技盤側装置群Ｂが接続されている。この遊技盤側装置群Ｂは、主に、上述した６つの普通入賞スイッチ１１ａ、普通図柄作動スイッチ１２ａ，１２ａ、第１種始動口スイッチ１４ａ、第１種始動口ソレノイド１４ｄ、可変表示装置１３、可変入賞装置１５、音声制御基板２６、ランプ制御基板２７、ランプ用メイン中継基板３０、ランプ用サブ中継基板４７、動作ランプ５ａ〜５ｊ、各ＬＥＤ１３ｃ〜１３ｈ、遊技盤用外部端子板３１とで構成されている。
【００７６】
可変表示装置１３は、遊技盤側装置群Ｂの一装置であり、主制御基板２４から送信された制御用データに基づいてＬＣＤ１３ａ及び普通図柄表示ＬＥＤ１３ｂを制御する液晶制御基板１３ｉを備えている。この液晶制御基板１３ｉは、上述した盤側メイン中継基板２９に接続された接続線群５５と接続されており、この接続線群５５を経由して、主制御基板２４からの制御用データを受信することができる。
【００７７】
また、液晶制御基板１３ｉは、普通図柄表示ＬＥＤ１３ｂと接続されており、この普通図柄表示ＬＥＤ１３ｂへ制御用信号を送信して、普通図柄表示ＬＥＤ１３ｂによる図柄の変動表示の制御を行うことができる。一方、液晶制御基板１３ｉは、ＬＣＤ１３ａの液晶パネル制御基板１３ａ２とも接続されている。この液晶パネル制御基板１３ａ２は、液晶パネル１３ａ１の液晶に印加される電圧値を制御するための回路基板であり、液晶パネル１３ａ１と接続されている。
【００７８】
液晶パネル１３ａ１は、液晶パネル制御基板１３ａ２により液晶に印加される電圧の大きさを変更することによって、その液晶の分子配列が変更され色彩や透明度が変化される性質を有しており、この性質を用いることにより液晶パネル１３ａ１において、複数種類の図柄が変動表示されるのである。
【００７９】
可変入賞装置１５は、遊技盤側装置群Ｂの一装置であり、大入賞口の特定領域を通過した遊技球Ｐを検出するＶカウントスイッチ１５ｃと、大入賞口へ通常領域を通過した遊技球Ｐを検出する１０カウントスイッチ１５ｄと、開閉シャッタ１５ｂの開閉動作を行う動力を付与する開閉ソレノイド１５ｅと、大入賞口へ入賞した遊技球Ｐを特定領域または通常領域へ振り分けるための振り分け板（図示せず）の傾斜方向を振り分けソレノイド１５ｆとを備えている。これらの各スイッチ１５ｃ，１５ｄ及び各ソレノイド１５ｅ，１５ｆは可変入賞装置用中継基板１５ｇとそれぞれ接続されている。しかも、この可変入賞装置用中継基板１５ｇは、上記のように接続線群５６を介して盤側メイン中継基板２９と電気的に接続されている。
【００８０】
よって、可変入賞装置１５のＶカウントスイッチ１５ｃ及び１０カウントスイッチ１５ｄは可変入賞装置用中継基板１５ｇ及び盤側メイン中継基板２９を経由して、主制御基板２４へ遊技球Ｐの検出信号をそれぞれ送信することができる。一方、主制御基板２４は、盤側メイン中継基板２９及び可変入賞装置用中継基板１５ｇを経由して、可変入賞装置１５の開閉ソレノイド１５ｅ及び振り分けソレノイド１５ｆを作動させる指令信号を各ソレノイド１５ｅ，１５ｆへそれぞれ送信することができるのである。
【００８１】
また、盤側メイン中継基板２９には、上述した遊技盤側装置群Ｂの他に、接続線群５９を介して、枠類５０に配設される各種装置である枠側装置群Ｗが接続されている。この枠側装置群Ｗは、主に、上述した空切れ防止スイッチ３３ｆ、オーバーフロー検出スイッチ３３ｈ、払出制御基板４１、賞球払出ユニット３４、球貸ユニット３５、枠用外部端子板３７、球切れスイッチ３３ｄ、発射制御基板３９、遊技球発射装置２０、球貸操作用中継基板４５、球貸操作ユニット２３、カードユニット２２、電源基板３６とで構成されている。
【００８２】
賞球払出ユニット３４は、枠側装置群Ｗの一装置であり、主に、払出カウントスイッチ３４ａと、払出モータ３４ｂとを備えている。払出カウントスイッチ３４ａは、この賞球払出ユニット３４により払い出された賞球の個数を検出する検出器であり、磁気センサで構成されている。この払出カウントスイッチ３４ａは、上記のように接続線群３４ｄを介して枠側メイン中継基板４３と接続されており、この枠側メイン中継基板４３及び盤側メイン中継基板２９を経由して、主制御基板２４へ払出カウントスイッチ３４ａによる賞球の検出信号を送信することができるのである。
【００８３】
払出モータ３４ｂは、上述したタンクレール３３ｅにより賞球払出ユニット３４へ案内された球を１個ずつ払い出すための装置であり、パルスモータなどで構成されている。この払出モータ３４ｂは、上述した賞球払出用中継基板３４ｃと接続されており、この賞球払出用中継基板３４ｃは接続線群８１を介して払出制御基板４１と接続されている。よって、払出制御基板４１は、賞球払出用中継基板３４ｃを経由して、払出モータ３４ｂを駆動させるドライブ信号（ドライブ電圧）を払出モータ３４ｂへ送信し、かかる払出モータ３４ｂによりタンクレール３３ｅに整列された球を賞球として１個ずつ所定個数分だけ払い出させるのである。
【００８４】
球貸ユニット３５は、枠側装置群Ｗの一装置であり、主に、球貸カウントスイッチ３５ａと、球貸モータ３５ｂとを備えている。球貸カウントスイッチ３５ａは、この球貸ユニット３５により払い出された貸し球の個数を検出する検出器であり、磁気センサで構成されている。この球貸カウントスイッチ３５ａは上記の球貸用中継基板３５ｃと接続されており、この球貸用中継基板３５ｃは上記の接続線群８２を介して払出制御基板４１と接続されている。よって、球貸カウントスイッチ３５ａは、球貸用中継基板３５ｃを経由して、払出制御基板４１へ球貸カウントスイッチ３５ａによる貸し球の検出信号を送信することができるのである。
【００８５】
球貸モータ３５ｂは、上述したタンクレール３３ｅにより球貸ユニット３５へ案内された球を１個ずつ払い出すための装置であり、パルスモータなどで構成されている。この球貸モータ３５ｂは、球貸カウントスイッチ３５ａと同様に、球貸用中継基板３５ｃと接続されている。よって、払出制御基板４１は、球貸用中継基板３５ｃを経由して、球貸モータ３５ｂを駆動させるドライブ信号（ドライブ電圧）を球貸モータ３５ｂへ送信し、かかる球貸モータ３５ｂによりタンクレール３３ｅに整列された球を貸し球として１個ずつ所定個数分だけ払い出させるのである。
【００８６】
次に、上記のパチンコ機１に配設される主制御基板２４とその他の各部材との電気的な接続方法について説明する。まず、主制御基板２４を収容した主制御基板ボックス２５が遊技盤５の裏面側に取り付けて配設される。主制御基板ボックス２５の配設後、接続線群５１が主制御基板２４及び盤側メイン中継基板２９にそれぞれ接続され、この接続線群５１により主制御基板２４と盤側メイン中継基板２９とが電気的に接続される。一方、盤側メイン中継基板２９には接続線群５２〜５８を介して上述した遊技盤側装置群Ｂが接続され、この結果、盤側メイン中継基板２９を介して主制御基板２４と遊技盤側装置群Ｂとがそれぞれ電気的に接続される。
【００８７】
また、主制御基板２４と電気的に接続された盤側メイン中継基板２９には、接続線群５９を介して枠側メイン中継基板４３が電気的に接続される。一方、この枠側メイン中継基板４３には、接続線群３４ｄ，７１〜７４を介して枠側装置群Ｗが接続され、この結果、盤側メイン中継基板２９及び枠側メイン中継基板４３を介して主制御基板２４と枠側装置群Ｗとがそれぞれ電気的に接続される。
【００８８】
尚、主制御基板２４を収容した主制御基板ボックス２５を遊技盤５から取り外す場合には、接続線群５１を主制御基板２４又は盤側メイン中継基板２９から取り外すことにより、主制御基板２４と盤側メイン中継基板２９との電気的な接続状態が解除され、主制御基板２４を収容した主制御基板ボックス２５が遊技盤５から取り外し可能となるのである。
【００８９】
以上説明したように、本実施例のパチンコ機１によれば、そのパチンコ機１による遊技の制御を行う主制御基板２４と、遊技盤５に配設される遊技盤側装置群Ｂ、並びに、枠類５０に配設される枠側装置群Ｗとの電気的な接続は、接続線群５１により主制御基板２４と枠側メイン中継基板２９とを接続することにより行われるので、遊技盤側装置群Ｂを構成する可変入賞装置１５、音声制御基板２６、ランプ制御基板２７等や、枠側装置群Ｗを構成する空切れ防止スイッチ３３ｆ、オーバーフロー検出スイッチ３３ｈ、払出制御基板４１等をそれぞれ個別に主制御基板２４に接続する必要がない。
【００９０】
よって、本実施例のパチンコ機１では、例えば、主制御基板ボックス２５を遊技盤５から取り外して主制御基板２４の検査する場合やパチンコ機１の組立作業をする場合に、主制御基板２４と遊技盤側装置群Ｂ及び枠側装置群Ｗとの電気的な接続および接続解除の作業を簡素化することができ、その分、パチンコ機１の検査試験や組立作業を簡素化することができるのである。
【００９１】
しかも、枠側装置群Ｗを構成する空切れ防止スイッチ３３ｆ及びオーバーフロー検出スイッチ３３ｈは、枠側メイン中継基板４３及び盤側メイン中継基板２９を介して主制御基板２４と電気的に接続されるので、各スイッチ３３ｆ，３３ｈによる検出信号をＭＰＵなどの電子部品を搭載した払出制御基板４１によって中継することなく、主制御基板２４へ送信することができるのである。また、空切れ防止スイッチ３３ｆ及びオーバーフロー検出スイッチ３３ｈをそれぞれ主制御基板２４に直接に接続する必要がないので、かかる各スイッチ３３ｆ，３３ｈの接続線群７１，７２が主制御基板２４にそれぞれ直接に接続されて主制御基板２４に接続される接続線群の数が増加することを防止することができるのである。
【００９２】
また、接続線群５１により主制御基板２４と接続される盤側メイン中継基板２９は、主制御基板２４とともに遊技盤５の裏面側に配設されるので、遊技盤５をパチンコ機１（機構盤３３）から取り外して交換する場合に、接続線群５１を主制御基板２４又は盤側メイン中継基板２９から外す必要がなく、その分、遊技盤５の交換作業する際の電気的な接続作業を簡素化することができるのである。しかも、遊技の内容を制御する主制御基板２４は、遊技盤５の裏面側に配設されるので、遊技盤５をパチンコ機１（機構盤３３）から取り外して交換する場合に、かかる遊技盤５の交換作業と主制御基板２４の交換作業を一括して行うことができる。
【００９３】
盤側メイン中継基板２９は、可変表示装置１３の裏面側に配設されることによって、遊技盤５の略中央部分、即ち、パチンコ機１の略中央部分に配設される。よって、かかる盤側メイン中継基板２９がパチンコ機１の隅位置に配設される場合に比べて、盤側メイン中継基板２９に接続される接続線群５１〜５９の長さの総和（総延長）を短縮化して、その分、パチンコ機１全体としての製造コストを低減することができるのである。
【００９４】
また、接続線群７１〜７５により枠側装置群Ｗと接続される枠側メイン中継基板４３は、枠側装置群Ｗとともに枠類５０（機構盤３３）に配設されるので、遊技盤５をパチンコ機１（機構盤３３）から取り外して交換する場合に、接続線群７１〜７４を枠側メイン中継基板４３又は枠側装置群Ｗから外す必要がなく、その分、遊技盤５の交換作業する際の電気的な接続作業を簡素化することができるのである。
【００９５】
ところで、パチンコ機１は、その出荷前に射幸性の抑制を図るため、各種の検査試験が行われる。この検査試験は、主に、遊技者に賞球（又は出球）（有価媒体）などの有価価値を付与する有価価値の付与処理（有価価値付与処理）に直接的或いは間接的に関与する装置に対して行われる。この検査試験の対象となる装置（以下、「検査対象装置」と称す。）のうち、有価価値の付与処理に直接的に関与する装置には、例えば、複数の普通入賞スイッチ１１ａ、普通図柄作動スイッチ１２ａ，１２ａ、第１種始動口スイッチ１４ａ及び第１種始動口ソレノイド１４ｄ、並びに、可変入賞装置１５等があり、有価価値の付与処理に間接的に関与する装置には、例えば、可変表示装置１３（特に、ＬＣＤ１３ａ、普通図柄表示ＬＥＤ１３ｂ及び液晶制御基板１３ｉ）等がある。
【００９６】
尚、パチンコ機１における大当たりランプ２ａ、複数の動作ランプ５ａ〜５ｊ、各図柄記憶表示ＬＥＤ１３ｃ，１３ｄ及び飾りＬＥＤ１３ｅ〜１３ｈなど（以下、「非検査対象装置」と称す。）は、パチンコ機１における有価価値の付与処理に関与せず、そのためパチンコ機１の出荷前における検査試験の対象から除外される装置である。
【００９７】
ここで、本実施例のパチンコ機１では、その出荷前の検査試験の対象となる検査対象装置のうち、２つの普通入賞スイッチ１１ａ，１１ａ、可変表示装置１３および可変入賞装置１５は、盤側メイン中継基板２９を介して主制御基板２４と接続され、残りの４つの普通入賞スイッチ１１ａ、普通図柄作動スイッチ１２ａ，１２ａ、第１種始動口スイッチ１４ａ及び第１種始動口ソレノイド１４ｄは、盤側サブ中継基板４６を介して主制御基板２４と接続されている。
【００９８】
一方、検査試験の対象から除外される非検査対象装置のうち、大当たりランプ２ａ、複数の動作ランプ５ａ〜５ｊはランプ用サブ中継基板４７にまとめて接続され、普通図柄記憶表示ＬＥＤ１３ｃ、特別図柄記憶表示ＬＥＤ１３ｄ、及び、飾りＬＥＤ１３ｅ〜１３ｈはランプ用メイン中継基板３０にまとめて接続されている。
【００９９】
このように、パチンコ機１では、複数の普通入賞スイッチ１１ａ等の検査対象装置が盤側メイン中継基板２９及び盤側サブ中継基板４５にまとめて接続される一方、各ランプ２ａ，５ａ〜５ｊの非検査対象装置がランプ用メイン中継基板３０及びランプ用サブ中継基板４７にまとめて接続されるので、検査対象装置と非検査対象装置との接続先を明確に区別することができる。しかも、ランプ用メイン中継基板３０は盤側メイン中継基板２９から分離されて別体に形成され、かつ、ランプ用サブ中継基板４６は盤側メイン中継基板４７から分離されて別体に形成されるので、従来のパチンコ機のように、検査試験において中継基板に接続される全ての接続線群の中から検査対象装置に接続される接続線群を探し出す必要がなく、検査試験における作業を簡素化することができるのである。
【０１００】
次に、図５を参照して、前記した実施例の変形例について説明する。図５は、第２実施例のパチンコ機２００における裏面図である。第２実施例のパチンコ機２００は、前記した第１実施例のパチンコ機１に対して、主制御基板と枠側メイン中継基板との接続手段を変更したものである。以下、第１実施例と同一の部分には同一の符号を付して、その説明を省略し、異なる部分のみ説明する。
【０１０１】
第２実施例のパチンコ機２００では、第１実施例の主制御基板２４及び盤側メイン中継基板２９に代えて、主制御基板２０１と枠側メイン中継基板４３とを接続線群５９により接続している。このため、主制御基板２０１と接続線群５１により接続される盤側メイン中継基板２０２は、第１実施例の盤側メイン中継基板２９に接続された接続線群５１〜５９に対して、接続線群５９を除いた接続線群５１〜５８のみが接続されている。
【０１０２】
この第２実施例のパチンコ機２００によれば、２つの接続線群５１，５９を主制御基板２０１に接続する必要があるが、接続線群５９及び枠側メイン中継基板４３によって、空切れ防止スイッチ３３ｆ、オーバーフロー検出スイッチ３３ｈ及び払出制御基板４１をまとめて主制御基板２０１に電気的に接続することができるので、かかる各スイッチ３３ｆ，３３ｈ及び払出制御基板４１をそれぞれ個別に主制御基板２０１に接続する必要がなく、主制御基板２０１の接続作業を簡素化することができる。
【０１０３】
次に、図６を参照して、第３実施例のパチンコ機３００について説明する。図６は、第３実施例のパチンコ機３００における電気的構成を示したブロック図である。第３実施例のパチンコ機３００は、前記した第１実施例のパチンコ機１に対して、音声制御基板２６及び音量調整基板４４の接続手段と、大当たりランプ２ａ及びランプ用サブ中継基板４７の接続手段と、主制御基板２４及び電源基板３６の接続手段とを変更したものである。以下、第１実施例と同一の部分には同一の符号を付して、その説明を省略し、異なる部分のみ説明する。
【０１０４】
第３実施例のパチンコ機３００では、第１実施例の盤側メイン中継基板２９と枠側メイン中継基板４３とに代えて、盤側メイン中継基板３０１と枠側メイン中継基板３０２とを備え、この盤側メイン中継基板３０１と枠側メイン中継基板３０２とは接続線群３０３により接続されている。盤側メイン中継基板３０１には、接続線群５７を介して音声制御基板２６が接続されており、この音声制御基板２６に接続される接続線群２６ａは、再び、盤側メイン中継基板３０１と接続されている。一方、枠側メイン中継基板３０２は、接続線群３０４により音量調整基板４４と接続されている。よって、音声制御基板２６から送信された電気信号は、接続線群２６ａを介して盤側メイン中継基板３０１へ送信され、接続線群３０３、枠側メイン中継基板３０２及び接続線群３０４を経由して、音量調整基板４４へ送信されるのである。
【０１０５】
また、盤側メイン中継基板３０１は、ランプ用サブ中継基板４７に接続された接続線群１１１が接続されている一方、枠側メイン中継基板３０２には、接続線群３０５により大当たりランプ２ａが接続されている。よって、ランプ制御基板２７から送信され、かつ、ランプ用サブ中継基板４７で受信された大当たりランプ２ａを点灯（又は、点滅）させる制御用信号は、接続線群１１１を介して盤側メイン中継基板３０１へ送信され、接続線群３０３、枠側メイン中継基板３０２及び接続線群３０５を経由して、大当たりランプ２ａへ送信されるのである。
【０１０６】
更に、パチンコ機３００では、電源基板３６は、接続線群３０６により枠側メイン中継基板３０２と接続されている。よって、電源基板３６は、接続線群３０６、枠側メイン中継基板３０２及び接続線群７３を経由して、払出制御基板４１へ電力供給を行うことができる一方、接続線群３０６、枠側メイン中継基板３０２、接続線群３０３、盤側メイン中継基板３０１及び接続線群５１を経由して、主制御基板２４へ電力供給を行うことができるのである。
【０１０７】
この第３実施例のパチンコ機３００によれば、盤側メイン中継基板３０１に盤側装置群Ｂの全てがまとめて接続されると共に、枠側メイン中継基板３０２に枠側装置群Ｗの全てがまとめて接続されるので、例えば、主制御基板ボックス２５を遊技盤５から取り外して主制御基板２４の検査する場合やパチンコ機１の組立作業をする場合に、接続線群５１を主制御基板２４又は盤側メイン中継基板３０１から外すだけで、主制御基板２４と遊技盤側装置群Ｂ及び枠側装置群Ｗとの電気的な接続および接続解除の作業を行うことができる。よって、かかる主制御基板２４と遊技盤側装置群Ｂ及び枠側装置群Ｗとの電気的な接続および接続解除の作業が簡素化されるので、その分、パチンコ機１の検査試験や組立作業を簡素化することができるのである。
【０１０８】
以上、実施例に基づき本発明を説明したが、本発明は上記実施例に何ら限定されるものではなく、本発明の趣旨を逸脱しない範囲内で種々の改良変形が可能であることは容易に推察できるものである。
【０１０９】
例えば、各実施例では、ランプ制御基板２７と各ＬＥＤ１３ｃ〜１３ｈとをランプ用メイン中継基板３０を介して接続し、ランプ制御基板２７と各ランプ２ａ，５ａ〜５ｊとをランプ用メイン中継基板３０及びランプ用サブ中継基板４７を介して接続した。しかしながら、ランプ制御基板２７と各ＬＥＤ１３ｃ〜１３ｈ及び各ランプ２ａ，５ａ〜５ｊとの接続手段は、必ずしもこれに限られるものではなく、例えば、ランプ制御基板２７と各ＬＥＤ１３ｃ〜１３ｈ及び各ランプ２ａ，５ａ〜５ｊとをランプ用メイン中継基板またはランプ用サブ中継基板のいずれか一方にまとめて接続しても良い。
【０１１０】
このように、ランプ用メイン中継基板（又は、ランプ用サブ中継基板）にまとめて接続することにより、ランプ用サブ中継基板（又は、ランプ用メイン中継基板）が不要となるので、その分、パチンコ機１，２００，３００全体として製造コストを低減することができる。しかも、かかる場合には、ランプ用サブ中継基板（又は、ランプ用メイン中継基板）が不要となるので、その配設スペースに枠用メイン中継基板、サブ制御基板ボックス等を配設することができるのである。
【０１１１】
また、本実施例では、主制御基板２４及び盤側メイン中継基板２９が遊技盤５の裏面側に配設されたが、主制御基板と盤側メイン中継基板との配設位置は、必ずしもこれに限られるものではなく、主制御基板および盤側メイン中継基板を機構盤の裏側面（又は、前面枠の裏側面や外枠の裏側面などの遊技盤以外の箇所）に配設しても良い。
【０１１２】
かかる配設パターンには、種々のパターンが考えられるが、例えば、第１のパターンとして、主制御基板を収容した主制御基板ボックスを機構盤の裏側面における一側部分に配設し、盤側メイン中継基板を遊技盤の裏面側略中央に配設しても良い。また、第２のパターンとしては、主制御基板を収容した主制御基板ボックスを機構盤の裏側面における下側部分に配設し、盤側メイン中継基板を機構盤の裏側面における一側部分に配設しても良い。更に、第３のパターンとしては、主制御基板を収容した主制御基板ボックスを遊技盤の裏側面略中央に配設し、盤側メイン中継基板を機構盤の裏側面における一側部分に配設しても良い。
【０１１３】
以下本発明の変形例を示す。請求項１記載の遊技機において、前記主制御基板は、遊技内容に応じて遊技者に有価媒体などの有価価値を付与するための有価価値付与処理を行うように構成されており、前記遊技盤側装置は、その主制御基板による有価価値付与処理において直接的或いは間接的に関与して遊技に関する検査試験の対象となる検査対象装置と、その検査対象装置と別個に設けられ、前記主制御基板による有価価値付与処理において関与せずに遊技に関する検査試験の対象から除外される非検査対象装置と、前記主制御基板と前記検査対象装置との間に介在し、前記主制御基板と前記検査対象装置とを電気的に直接的或いは間接的に接続する検査対象中継基板と、その検査対象中継基板から分離して形成されると共に、前記主制御基板と前記非検査対象装置との間に介在し、前記主制御基板と前記検査対象装置とを電気的に直接的或いは間接的に接続する非検査対象中継基板とを備えていることを特徴とする遊技機１。
【０１１４】
請求項１記載の遊技機、又は、遊技機１において、前記遊技盤側中継基板は、前記遊技盤側装置が配設された遊技盤に配設されていることを特徴とする遊技機２。
【０１１５】
遊技機２において、前記主制御基板は、前記遊技盤側装置が配設された遊技盤に配設されていることを特徴とする遊技機３。
【０１１６】
請求項１記載の遊技機、又は、遊技機１から３のいずれかにおいて、前記枠体側中継基板は、前記枠体側装置が配設された枠体に配設されていることを特徴とする遊技機４。
【０１１７】
【発明の効果】
本発明の遊技機によれば、遊技盤に配設される２以上の遊技盤側装置および枠体に配設される２以上の枠体側装置は、遊技盤側中継基板および枠体側中継基板を介して、主制御基板にまとめて電気的に接続されるので、主制御基板に２以上の遊技盤側装置および２以上の枠体側装置をそれぞれ個別に接続する必要がない。よって、例えば、主制御基板を遊技機から取り外して、その主制御基板の検査試験を行う場合や、遊技機の組立作業の際に主制御基板を遊技機に取り付ける場合に、主制御基板と２以上の遊技盤側装置および枠体側装置との電気的な接続および接続解除の作業が簡素化されるので、その分、かかる検査試験や組立作業を簡素化することができるという効果がある。
【０１１８】
しかも、枠体に配設される２以上の枠体側装置は、枠体側中継基板にまとめて電気的に接続され、この枠体側中継基板を介して主制御基板と電気的に接続されるので、例えば、枠体に配設された複数の検出スイッチによる検出信号を、払出制御基板などの電子部品を搭載した他の枠体側装置により中継することなく、枠体側中継基板を介して主制御基板へ送信することができる。また、枠体に配設された複数の検出スイッチをそれぞれ個別に主制御基板に接続する必要がないので、主制御基板に接続される接続線群の数が増加することを防止することができるという効果がある。
【０１１９】
また、遊技盤には、遊技盤の前面を装飾する複数の装飾装置が配設されており、その複数の装飾装置をまとめて電気的に接続する中継基板を有しているので、複数の装飾装置の電気的な接続および接続解除の作業を簡素化することができるという効果がある。
【図面の簡単な説明】
【図１】  本発明の一実施例であるパチンコ機の正面図である。
【図２】  パチンコ機の裏面図である。
【図３】  パチンコ機に配設される遊技盤の裏面図である。
【図４】  パチンコ機の電気的構成を示したブロック図である。
【図５】  第２実施例のパチンコ機における裏面図である。
【図６】  第３実施例のパチンコ機における電気的構成を示したブロック図である。
【符号の説明】
１，２００，３００    パチンコ機（遊技機）
２                    前面枠（枠体の一部）
２ａ                  大当たりランプ
５                    遊技盤
５ａ〜５ｊ            動作ランプ
１１ａ                普通入賞スイッチ
１２ａ                普通図柄作動スイッチ
１３                  可変表示装置
１３ａ                ＬＣＤ（図柄表示装置の一部）
１３ｂ                普通図柄表示ＬＥＤ（図柄表示装置の一部）
１３ｃ                普通図柄記憶表示ＬＥＤ（装飾装置の一部）
１３ｄ                特別図柄記憶表示ＬＥＤ（装飾装置の一部）
１３ｅ〜１３ｈ        飾りＬＥＤ（装飾装置の一部）
１３ｉ                液晶制御基板
１４ａ                第１種始動口スイッチ
１４ｄ                第１種始動口ソレノイド
１７                  前面扉板（枠体の一部）
２４，２０１          主制御基板
２９，２０２，３０１  盤側メイン中継基板
３０                  ランプ用メイン中継基板（遊技盤中継基板の一部、中継基板）
３３                  機構盤（枠体の一部）
３２                  外枠（枠体の一部）
４３，３０２          枠側メイン中継基板
４６                  盤側サブ中継基板
４７                  ランプ用メイン中継基板（遊技盤中継基板の一部、中継基板）
５０                  枠類（枠体）
Ｂ                    遊技盤側装置群（遊技盤側装置）
Ｗ                    枠側装置群（枠体側装置）
【図１】
0004078775.tif 000002
【図２】
0004078775.tif 000003
【図３】
0004078775.tif 000004
【図４】
0004078775.tif 000005
【図５】
0004078775.tif 000006
【図６】
0004078775.tif 000007